(57)【要約】【課題】フルハーネス型墜落制止用器具を装着した状態で、安全チョッキの背面からＤ環又はショックアブソーバを、ランヤードと共に容易に取り出すことができ、安全チョッキの反射能、発光能の機能を損なうことがない。【解決手段】袖がなく丈の短い、前身頃１４，１５と後身頃１６で構成されるチョッキ本体１３と、フルハーネス型墜落制止用器具５１のランヤード６０とＤ環５８とを引き出すために、後身頃１６に開けられた通し穴１２と、通し穴１２に取り付けたファスナー２０と、を備え、フルハーネス型墜落制止用器具５１を既に装着している着用者が、安全チョッキ１１を装着する際に、チョッキ本体１３の両アームホール（袖ぐり）に腕を通しながら羽織り、ファスナー２０を開けて通し穴１２を開放し、通し穴１２からフルハーネス型墜落制止用器具５１のＤ環５８とランヤード６０を引き出せるように構成された。【選択図】図１
2020059944.tif 000002
【特許請求の範囲】
【請求項１】
フルハーネス型墜落制止用器具（５１）の上から、ランヤード（６０）とＤ環（５８）とを引き出した状態で着用できる、フルハーネス型墜落制止用器具の上から着用できる安全チョッキ（１１）であって、
袖がなく丈の短い、前身頃（１４，１５）と後身頃（１６）で構成されるチョッキ本体（１３）と、
前記ランヤード（６０）とＤ環（５８）とを引き出すために、前記後身頃（１６）に開けられた通し穴（１２）と、
前記通し穴（１２）に取り付けたファスナー（２０）と、を備え、
前記フルハーネス型墜落制止用器具（５１）を既に装着している着用者が、前記安全チョッキ（１１）を装着する際に、前記チョッキ本体（１３）の両アームホール（袖ぐり）に腕を通しながら羽織り、
前記ファスナー（２０）を開けて通し穴（１２）を開放し、該通し穴（１２）からフルハーネス型墜落制止用器具（５１）のＤ環（５８）とランヤード（６０）を引き出せるように構成された、ことを特徴とするフルハーネス型墜落制止用器具の上から着用できる安全チョッキ。
【請求項２】
前記ファスナー（２０）は、エレメント（務歯）（２２）とスライダー（２１）とから成るファスナーである、ことを特徴とする請求項１のフルハーネス型墜落制止用器具の上から着用できる安全チョッキ。
【請求項３】
前記通し穴（１２）に面状ファスナー（２３）を取り付けた、ことを特徴とする請求項１のフルハーネス型墜落制止用器具の上から着用できる安全チョッキ。
【請求項４】
フルハーネス型墜落制止用器具（５１）の上から、ランヤード（６０）とＤ環（５８）とを引き出した状態で着用できる、フルハーネス型墜落制止用器具の上から着用できる安全チョッキ（４１）であって、
袖がなく丈の短い、前身頃（１４，１５）と後身頃（１６）で構成されるチョッキ本体（１３）と、
前記チョッキ本体（１３）の後身頃（１６）に、前記フルハーネス型墜落制止用器具（５１）のランヤード（６０）とＤ環（５８）とを引き出すために開けられた通し穴（４２）と、を備え、
前記フルハーネス型墜落制止用器具（５１）を既に装着している着用者が、前記安全チョッキ（４１）を装着する際に、前記通し穴（４２）にその内側から外側に向けてランヤード（６０）を差し込んだ状態で、前記チョッキ本体の両アームホール（袖ぐり）に腕を通しながら羽織り、ランヤード（６０）のフック（６１）を引っ張り、該通し穴（４２）からＤ環（５８）を引き出せるように構成された、ことを特徴とするフルハーネス型墜落制止用器具の上から着用できる安全チョッキ。
【発明の詳細な説明】
【技術分野】
【０００１】
本発明は、高所で作業する作業者がフルハーネス型墜落制止用器具（安全帯）を装着し、その上に安全チョッキを装着することができるフルハーネス型墜落制止用器具の上から着用できる安全チョッキに関する。
【背景技術】
【０００２】
工事作業現場、建設現場で作業する作業員等、または交通整理や交通事故の処理、或いは検問等を行なう警察官等は、自身の存在を周囲に知らせて安全性を確保するために安全チョッキの着用が義務化されつつある。図８に示すように、従来の安全チョッキｘとしては、チョッキ本体ｙの前面及び背面に、チョッキ本体ｙの左右の肩部から裾部に掛けて反射標識帯ｚをそれぞれ備えたものが一般に知られている。更に、反射標識帯ｚに複数の発光ダイオードＬＥＤ（ｌｉｇｈｔ  ｅｍｉｔｔｉｎｇ  ｄｉｏｄｅ）を取り付けた自発光式反射標識帯を備えたものも知られている。
【０００３】
このような安全チョッキｘの反射標識帯ｚは、光を照射することにより、反射して発光する。このような構成の安全チョッキｘを着用することにより、車のヘッドライト等の光を受けると反射標識帯ｚが反射するので、車の運転者等は着用者の存在を確認しやすくなり、警察官、道路上での作業者等が夜間又は暗闇の中での交通事故に遭遇する危険性を防止することができる。
【０００４】
また、この自発光式反射標識帯を備えた安全チョッキｘは、反射標識帯ｚの所定部が自発光するので、単なる反射標識帯を備えた安全チョッキｘに比べて視認性が高くなり、安全性が向上する。高所の工事現場、建設作業現場等において、着用者の存在を確認しやすくなるので、特に工事作業現場、建設現場における作業者等が労働災害に遭遇する危険性を防止することができる。
【０００５】
一方、高所で作業する作業者の墜落を阻止するために、図９，図１０に示すように、フルハーネス型の墜落制止用器具（安全帯）５１の着用が２０２０年１月から義務化される。このフルハーネス型墜落制止用器具５１は、これを装着している作業者の身体がフルハーネス型墜落制止用器具５１から抜け出さないように複数のベルトで構成されている。従来の、１本のベルトのみの墜落制止用器具とは異なり、着用している人の身体を保護しやすいようになっている。このフルハーネス型墜落制止用器具５１は、厚生労働省により、落下のおそれのある高所又はそれに類する場所で作業する作業者は、これを身体に装着すると共に、その一部をロープ（ランヤード）６０を介して周囲の固定体に連結することが義務付けられている。このフルハーネス型墜落制止用器具５１により、高所作業の現場から落下しても作業者は安全に宙吊りとなるようにしている。
【０００６】
図９の作業者前面側の状態図に示すように、フルハーネス型墜落制止用器具５１は、肩や腿（もも）、胸などの複数のベルトで構成され、これによって身体がフルハーネス型墜落制止用器具５１から抜け出すことや、胸部・腹部を過大に圧迫するリスクを低減するようになっている。従来の、１本のベルトのみの墜落制止用器具と比較して、着用している人の身体を保護しやすい。フルハーネス型墜落制止用器具５１は、作業者の両肩から胸に掛ける肩ベルト５２と、この肩ベルト５２の胸の部分でバックル５３により着脱自在に連結する胸ベルト５４と、肩ベルト５２の下部は胴ベルト５５につながれている。この胴ベルト５５には、両太ももを差し込む腿ベルト５６がそれぞれつながれている。胴ベルト５５はバックル５７により着脱自在になっている。
【０００７】
図１０の作業者後面側の状態図に示すように、フルハーネス型墜落制止用器具５１は、両肩ベルト５２の中間はＤ環５８に通されている。更に、両肩ベルト５２の他端は胴ベルト５５につながれている。このＤ環５８には、ショックアブソーバー５９を介してランヤード６０がつながれている。このランヤード６０の先端にフック６１が付けられている。各腿ベルト５６には広がりを防止する骨盤ベルト６２がつながれている。
図示例はいわゆる一丁掛けで、このランヤード６０が１本のものである。二丁掛けは、このランヤード６０が２本のものである。
【０００８】
安全チョッキに関する技術が種々提案されている。例えば特許文献１の特開２００６−１７６８９３号公報「安全チョッキ」のように、チョッキ本体の前面及び背面に、チョッキ本体の左右の肩部から裾部に掛けて設けた反射標識帯を備えた安全チョッキであって、 前記チョッキ本体の前面側の前記反射標識帯の部位に位置させて設けた任意数の第１の発光ダイオードを備え、 前記第１の各発光ダイオードは、前記反射標識帯の表面から斜め下方向に向けて光を放射するように配置して設けた安全チョッキが提案されている。
【先行技術文献】
【特許文献】
【０００９】
【特許文献１】特開２００６−１７６８９３号公報
【発明の概要】
【発明が解決しようとする課題】
【００１０】
上述したように、作業者は安全チョッキｘを装着することが義務付けられる。更に、地上から６．７５ｍ以上の高所での作業にはフルハーネス型墜落制止用器具５１を装着することも義務付けられた。そこで、高所での作業者は、安全チョッキｘとフルハーネス型墜落制止用器具５１の両方の装着が必要になる。
【００１１】
安全チョッキｘはその構造上、反射標識帯ｚ又は自発光式反射標識帯を反射又は発光させる必要があるために、フルハーネス型墜落制止用器具５１の上に装着する必要がある。安全チョッキｘに上に重ねてフルハーネス型墜落制止用器具５１を装着すると、多数のベルトが反射標識帯ｚ又は自発光式反射標識帯を覆う状態になり、その反射能、発光能が減殺されるためである。
【００１２】
従来の図９に示す形態の安全チョッキｘの構造では、フルハーネス型墜落制止用器具５１には、その背面側に位置するＤ環５８又はショックアブソーバ５９にランヤード６０の一端が掛け止められている。このＤ環５８又はショックアブソーバ５９が、この安全チョッキｘの背面から露出させることができないという問題を有していた。
【００１３】
また、安全チョッキの背面側を、前側と同じように略Ｖ字形状になるようにカットした形状にすることも考えられる。しかし、安全チョッキの前面側と背面側を共に略Ｖ字形状にすると、安全チョッキの両上部が着用者の両肩から外れやすくなり、非常に着心地の悪いものになる。
【００１４】
本発明は、かかる問題点を解決するために創案されたものである。すなわち、本発明の目的は、安全チョッキの構造に工夫を施すことで、フルハーネス型墜落制止用器具を装着した状態でも、安全チョッキの背面からＤ環又はショックアブソーバを、ランヤードと共に容易に取り出すことができ、安全チョッキの反射能、発光能の機能を損なうことがないフルハーネス型墜落制止用器具の上から着用できる安全チョッキを提供することにある。
【課題を解決するための手段】
【００１５】
第１の本発明は、フルハーネス型墜落制止用器具（５１）の上から、ランヤード（６０）とＤ環（５８）とを引き出した状態で着用できる、フルハーネス型墜落制止用器具の上から着用できる安全チョッキ（１１）であって、
袖がなく丈の短い、前身頃（１４，１５）と後身頃（１６）で構成されるチョッキ本体（１３）と、
前記ランヤード（６０）とＤ環（５８）とを引き出すために、前記後身頃（１６）に開けられた通し穴（１２）と、
前記通し穴（１２）に取り付けたファスナー（２０）と、を備え、
前記フルハーネス型墜落制止用器具（５１）を既に装着している着用者が、前記安全チョッキ（１１）を装着する際に、前記チョッキ本体（１３）の両アームホール（袖ぐり）に腕を通しながら羽織り、
前記ファスナー（２０）を開けて通し穴（１２）を開放し、該通し穴（１２）からフルハーネス型墜落制止用器具（５１）のＤ環（５８）とランヤード（６０）を引き出せるように構成された、ことを特徴とする。
【００１６】
前記ファスナー（２０）は、エレメント（務歯）（２２）とスライダー（２１）とから成るファスナーである。
または、前記通し穴（１２）に面状ファスナー（２３）を取り付けたものである。
【００１７】
第２の本発明は、フルハーネス型墜落制止用器具（５１）の上から、ランヤード（６０）とＤ環（５８）とを引き出した状態で着用できる、フルハーネス型墜落制止用器具の上から着用できる安全チョッキ（４１）であって、
袖がなく丈の短い、前身頃（１４，１５）と後身頃（１６）で構成されるチョッキ本体（１３）と、
前記チョッキ本体（１３）の後身頃（１６）に、前記フルハーネス型墜落制止用器具（５１）のランヤード（６０）とＤ環（５８）とを引き出すために開けられた通し穴（４２）と、を備え、
前記フルハーネス型墜落制止用器具（５１）を既に装着している着用者が、前記安全チョッキ（４１）を装着する際に、前記通し穴（４２）にその内側から外側に向けてランヤード（６０）を差し込んだ状態で、前記チョッキ本体の両アームホール（袖ぐり）に腕を通しながら羽織り、ランヤード（６０）のフック（６１）を引っ張り、該通し穴（４２）からＤ環（５８）を引き出せるように構成された、ことを特徴とする。
【発明の効果】
【００１８】
第１の本発明の構成では、安全チョッキ（１１）の通し穴（１２）に取り付けたファスナー（２０）を開けて、既に着用しているフルハーネス型墜落制止用器具（５１）のＤ環（５８）を引き出す。その後、安全チョッキ（１１）の両アームホール（袖ぐり）に腕を通して羽織る。この動作だけで、フルハーネス型墜落制止用器具（５１）を装着した状態で、安全チョッキ（１１）の背面からランヤード（６０）を取り出すことができ、安全チョッキ（１１）の反射標識帯（１８）の反射能、発光能の機能を損なうことがない。
安全チョッキ（１１）のみを装着する際には、ファスナー(２０)を閉じれば通し穴（１２）が開かないので、この通し穴（１２）に他の物が引っ掛からず安全に作業することができる。
【００１９】
第２の本発明の構成では、通し穴（４２）にその内側から外側に向けてランヤード（６０）、フック（６１）を差し込んだ状態にしてから、安全チョッキ（４１）の両アームホール（袖ぐり）に腕を通し、両前身頃（１４，１５）を合わせるように羽織る。その後、ランヤード（６０）を引っ張り、通し穴（４２）からＤ環（５８）を引き出す。フルハーネス型墜落制止用器具（５１）を装着した状態で、安全チョッキ（４１）の背面からランヤード（６０）を容易に引き出すことができ、安全チョッキ（４１）の反射標識帯（１８）の反射能、発光能の機能を損なうことがない。
【図面の簡単な説明】
【００２０】
【図１】実施例１の安全チョッキを示し、（ａ）は正面図、（ｂ）は背面図である。
【図２】実施例１の安全チョッキのファスナー部分を示す拡大正面図であり、（ａ）は通し穴を閉じた状態、（ｂ）は通し穴を開けた状態である。
【図３】実施例１の安全チョッキの通し穴からランヤードとＤ環を引き出した状態を示す斜視図である。
【図４】通し穴の開閉に面状のファスナーを用いた通し穴の変形例１の拡大正面図である。
【図５】通し穴の向きを可変した変形例２の拡大正面図であり、（ａ）は通し穴を閉じた状態、（ｂ）は通し穴を開けた状態である。
【図６】実施例１の安全チョッキの形態の変形例を示し、（ａ）は正面図、（ｂ）は通し穴を閉じた状態の背面図、（ｃ）は通し穴を開けた状態の背面図である。
【図７】実施例２の安全チョッキを示す背面図であり、（ａ）は通し穴を閉じた状態、（ｂ）は通し穴を開けた状態である。
【図８】従来の安全チョッキの一例を示し、（ａ）は正面図、（ｂ）は背面図である。
【図９】フルハーネス型墜落制止用器具を装着した作業者の前面側の状態を示す斜視図である。
【図１０】フルハーネス型墜落制止用器具を装着した作業者の後面側の状態を示す斜視図である。
【発明を実施するための形態】
【００２１】
本発明は、着用者が既に装着しているフルハーネス型墜落制止用器具の上から安全チョッキを着用できるものである。ランヤードとＤ環は安全チョッキの背面から引き出した状態で使用できるようになっている。
【実施例１】
【００２２】
＜安全チョッキの構成＞
以下、本発明の実施の形態を図面を参照して説明する。
図１は実施例１の安全チョッキを示し、（ａ）は正面図、（ｂ）は背面図である。図２は実施例１の安全チョッキのファスナー部分を示す拡大正面図であり、（ａ）は通し穴を閉じた状態、（ｂ）は通し穴を開けた状態である。図３は実施例１の安全チョッキの通し穴からランヤードとＤ環を引き出した状態を示す斜視図である。
実施例１の安全チョッキ１１は、身体に装着するように形成された、袖がなく丈の短い胴衣であり、これにフルハーネス型墜落制止用器具５１の一部を通す通し穴１２を開けたものである。
【００２３】
安全チョッキ１１を構成するチョッキ本体１３は、この前面の左右に、左前身頃１４と右前身頃１５及び背面に、後身頃１６で構成される。チョッキ本体１３は、通気性を考慮してメッシュ生地等で製造されたものが好ましい。左右前身頃１４，１５の裾部１４ａ，１５ａと後身頃１６の裾部１６ａにより胴ベルト部１７が形成される。胴ベルト部１７は、図１に示すように止め具として、この胴ベルト部１７の両端に面状ファスナー（図示せず）を設けた構成を採用している。または、ホックなどの他の部材を用いることができる。
【００２４】
チョッキ本体１３の左右前身頃１４，１５の肩部から下端の裾部１４ａ，１５ａに掛けてそれぞれ反射標識帯１８を備えている。各反射標識帯１８は再帰反射性シート材や反射クロス材等の反射材で適当な巾に構成されている。図示例では反射標識帯１８に複数の発光ダイオードＬＥＤ１９を取り付けた自発光式反射標識帯を示している。本発明は安全チョッキ１１にフルハーネス型墜落制止用器具５１用の通し穴１２を開けた構成であれば、反射標識帯１８と自発光式反射標識帯のいずれの安全チョッキ１１にも実施することができる。
【００２５】
また、図示していないが、反射標識帯１８に代えて、あるいは反射標識帯１８と共に、その安全チョッキ１１を着用している作業者の担当名を表示する「担当名称」の中板（シート）を着脱自在に挿入する透明なポケットを備えたものでもよい。「担当名称」としては、例えば、「誘導員」、「監視員」、「合図者」などがある。この「担当名称」のポケットは、安全チョッキ１１の前面側、背面側の何れにも構成することができる。本発明では背面側には、後述するようにフルハーネス型墜落制止用器具５１の金具を露出させる通し穴１２が必要になるため、このポケットは前面側のみになる。
【００２６】
＜「通し穴」の構成＞
実施例１の安全チョッキ１１は、チョッキ本体１３の背面側（後身頃１６）の上部にフルハーネス型墜落制止用器具５１用の通し穴１２を開けたものである。フルハーネス型墜落制止用器具５１のＤ環５８とランヤード６０をこの通し穴１２から引き出した状態で、安全チョッキ１１を装着できるようになる。
【００２７】
この通し穴１２は、図１，図２に示すように、チョッキ本体１３の背面側（後身頃１６）に襟に相当する上端縁から５ｃｍ程度の下方（間隔ａ）に、上下方向に開けられている。この通し穴１２は、所謂ジッパー、チャックと称されるファスナー２０で開閉自在になっている。ファスナー２０の全長が１０ｃｍ程度の長さ（間隔ｂ）を有する。この通し穴１２は、ランヤード６０の先端に付けられているフック６１を通すことができる程度の内径は必要である。
【００２８】
図２の拡大図に示すように、例えば、ファスナー２０のスライダー２１が上部にある、「上止」の状態を示している。この通し穴１２は、図２（ａ）に示すように、このファスナー２０でスライダー２１が上部にあるときは閉じた状態になる。スライダー２１を下げるとエレメント（務歯）２２の噛み合いが解けて通し穴１２が開放される。図２（ｂ）に示すように、この開放された通し穴１２からフルハーネス型墜落制止用器具５１のＤ環５８とランヤード６０を引き出すようになっている。この図示例は、通し穴１２から引き出したＤ環５８の断面の状態を示している。
【００２９】
実施例１の安全チョッキ１１を着用する際は、例えば、着用者はフルハーネス型墜落制止用器具５１を装着した後、この通し穴１２のファスナー２０を開け、ここにランヤード６０のフック６１を差し込み、その状態で、安全チョッキ１１の両アームホール（袖ぐり）部分に腕を通しながら、両前身頃１４，１５を合わせるように羽織る。その後、通し穴１２からランヤード６０とＤ環５８を引き出して、装着が完了する。安全チョッキ１１の反射能、発光能の機能を損なうことがない。
なお、フルハーネス型墜落制止用器具５１を装着する前に、この通し穴１２からランヤード６０とＤ環５８を通した状態で、先ずフルハーネス型墜落制止用器具５１を装着し、次に安全チョッキ１１を着用する方法でもよい。
【００３０】
実施例１の安全チョッキ１１を通常に着用する際は、通し穴１２のファスナー２０を閉めておく。この通し穴１２が不用意に開閉し、他の物に引っ掛からないようになる。この通し穴１２を常時閉止することで、工事現場などでは安全に着用することができる。
【００３１】
＜通し穴の変形例１＞
図４は通し穴の開閉に面状のファスナーを用いた通し穴の変形例１の拡大正面図である。
通し穴１２は、上述したエレメント（務歯）２２、スライダー２１の形態から成る構成に限定されない。変形例１のように、所謂面状ファスナー２３を通し穴１２の開閉に利用することができる。更に、通し穴１２を閉じた状態と、開いた状態を維持できるものであれば、ジッパー、チャック形態のファスナー２０、面状ファスナー２３以外に、ボタン、ホックボタンなど種々の留め具を用いることができる。
【００３２】
＜通し穴の変形例２＞
図５は通し穴の向きを可変した変形例２の拡大正面図であり、（ａ）は通し穴を閉じた状態、（ｂ）は通し穴を開けた状態である。
通し穴１２は、上述したように上下方向に開けた形状に限定されない。変形例２のように、通し穴１２を横向きに形成したものでもよい。このように横向きの通し穴１２では、ランヤード６０とＤ環５８を容易に引き出すことができる。更に、図示していないが、通し穴１２を斜めに開けた形状でも良い。通し穴１２の変形例２においても、ファスナー２０はジッパー、チャックと称されるファスナーに限定されず、面状ファスナー２３、ボタン、ホックボタンなど種々の留め具を用いることができる。
【００３３】
＜実施例１の安全チョッキの形態の変形例＞
図６は実施例１の安全チョッキの形態の変形例を示し、（ａ）は正面図、（ｂ）は通し穴を閉じた状態の背面図、（ｃ）は通し穴を開けた状態の背面図である。
本発明の安全チョッキの形態は、図１に示した前面の左右に、左前身頃１４と右前身頃１５及び背面に後身頃１６で構成される胴衣の形態に限定されない。図６の変形例に示すように、略長方形状の布の真ん中に首穴３１を開け、そこに首を通し、被るように着用し、前身頃３２と後身頃３３の裾部分を連結具３４で連結するように構成した安全チョッキ３５にも実施することができる。この後身頃３３に上述したような構成の通し穴３６を開けて、この通し穴３６からフルハーネス型墜落制止用器具５１のランヤード６０のフック６１を差し込み、Ｄ環５８とランヤード６０を引き出すようにすることができる。
【００３４】
この通し穴３６は、後身頃３３の襟に相当する上端縁から５ｃｍ程度の下方に、上下方向に開けられている。この通し穴３６にも、ファスナー３７で開閉自在になっている。ファスナー３７の全長が１０ｃｍ程度の長さを有する。この通し穴３６は、ランヤード６０の先端に付けられているフック６１を通すことができる程度の内径は必要である。後身頃３３にフルハーネス型墜落制止用器具５１用の通し穴３６を開けた構成であれば、安全チョッキ１１，３５の形態は図示例に限定されない。
【実施例２】
【００３５】
＜「通し穴」のみを開けた実施例２の構成＞
図７は実施例２の安全チョッキを示す背面図であり、（ａ）は通し穴を閉じた状態、（ｂ）は通し穴を開けた状態である。
実施例２の安全チョッキ４１は、チョッキ本体１３の背面側（後身頃１６）の上部にフルハーネス型墜落制止用器具５１用の通し穴４２のみを開けたものである。例えば、フルハーネス型墜落制止用器具５１のＤ環５８とランヤード６０をこの通し穴４２から引き出した状態で、安全チョッキ４１を装着できるようになる。
【００３６】
この通し穴４２は、ランヤード６０の先端に付けられているフック６１を通すことができる程度の内径は必要である。図示例では、通し穴４２は略円形状であるが、その柔軟性により変形してフック６１を通すことができるようになっている。
【００３７】
実施例２の安全チョッキ４１を着用する際は、例えば、着用者はフルハーネス型墜落制止用器具５１を装着した後、この通し穴４２にランヤード６０のフック６１を差し込み、その状態で、安全チョッキ４１の両アームホール（袖ぐり）部分に腕を通しながら、両前身頃１４，１５を合わせるように羽織る。その後、通し穴４２からランヤード６０とＤ環５８を引き出して、装着が完了する。安全チョッキ４１の反射能、発光能の機能を損なうことがない。
なお、フルハーネス型墜落制止用器具５１を装着する前に、この通し穴４２からランヤード６０とＤ環５８を通した状態で、先ずフルハーネス型墜落制止用器具５１を装着し、次に安全チョッキ４１を着用する方法でもよい。
【００３８】
なお、本発明は、フルハーネス型墜落制止用器具５１を装着した状態で、安全チョッキ１１，３１，４１の背面からＤ環５８又はショックアブソーバ５９を、ランヤード６０、フック６１と共に容易に取り出すことができ、安全チョッキ１１，３１，４１の反射能、発光能の機能を損なうことがなければ、上述した発明の実施の形態に限定されず、本発明の要旨を逸脱しない範囲で種々変更できることは勿論である。
【産業上の利用可能性】
【００３９】
本発明の安全チョッキは、工事作業現場、建設現場で作業する作業員などが利用することができる。
【符号の説明】
【００４０】
１１  安全チョッキ
１２  通し穴
１３  チョッキ本体
１４  左前身頃
１５  右前身頃
１６  後身頃
２０  ファスナー
２１  スライダー
２２  エレメント（務歯）
２３  面状ファスナー
４１  安全チョッキ
４２  通し穴
５１  フルハーネス型墜落制止用器具
５８  Ｄ環
６０  ランヤード
６１  フック
【図１】
2020059944.tif 000003
【図２】
2020059944.tif 000004
【図３】
2020059944.tif 000005
【図４】
2020059944.tif 000006
【図５】
2020059944.tif 000007
【図６】
2020059944.tif 000008
【図７】
2020059944.tif 000009
【図８】
2020059944.tif 000010
【図９】
2020059944.tif 000011
【図１０】
2020059944.tif 000012
【手続補正書】
【提出日】平成31年3月15日(2019.3.15)
【手続補正１】
【補正対象書類名】明細書
【補正対象項目名】００１５
【補正方法】変更
【補正の内容】
【００１５】
第１の本発明は、フルハーネス型墜落制止用器具（５１）の上から、ランヤード（６０）とＤ環（５８）とを引き出した状態で着用できる、フルハーネス型墜落制止用器具の上から着用できる安全チョッキ（１１）であって、
袖がなく丈の短い、前身頃（１４，１５）と後身頃（１６）で構成されるチョッキ本体（１３）と、
前記チョッキ本体（１３）の前身頃（１４，１５）と後身頃（１６）の肩部から下端の裾部（１４ａ，１５ａ，１６ａ）に掛けてそれぞれ備えられている反射標識帯（１８）と、
前記チョッキ本体（１３）の後身頃（１６）の襟に相当する位置から下方の位置に、前記フルハーネス型墜落制止用器具（５１）のランヤード（６０）とＤ環（５８）とを引き出すためと、前記反射標識帯（１８）に干渉しないように上下方向に開けられた通し穴（１２）と、
前記通し穴（１２）に取り付けられたファスナー（２０）と、を備え、
前記フルハーネス型墜落制止用器具（５１）を既に装着している着用者が、前記安全チョッキ（１１）を装着する際に、前記チョッキ本体（１３）の両アームホール（袖ぐり）に腕を通しながら羽織り、
前記ファスナー（２０）を開けて通し穴（１２）を開放し、該通し穴（１２）からフルハーネス型墜落制止用器具（５１）のＤ環（５８）とランヤード（６０）を引き出せるように構成された、ことを特徴とする。
【手続補正２】
【補正対象書類名】明細書
【補正対象項目名】００１７
【補正方法】変更
【補正の内容】
【００１７】
第２の本発明は、フルハーネス型墜落制止用器具（５１）の上から、ランヤード（６０）とＤ環（５８）とを引き出した状態で着用できる、フルハーネス型墜落制止用器具の上から着用できる安全チョッキ（４１）であって、
袖がなく丈の短い、前身頃（１４，１５）と後身頃（１６）で構成されるチョッキ本体（１３）と、
前記チョッキ本体（１３）の前身頃（１４，１５）と後身頃（１６）の肩部から下端の裾部（１４ａ，１５ａ，１６ａ）に掛けてそれぞれ備えられている反射標識帯（１８）と、
前記チョッキ本体（１３）の後身頃（１６）の襟に相当する位置から下方の位置に、前記フルハーネス型墜落制止用器具（５１）のランヤード（６０）とＤ環（５８）とを引き出すためと、前記反射標識帯（１８）に干渉しないように上下方向に開けられた通し穴（４２）と、を備え、
前記フルハーネス型墜落制止用器具（５１）を既に装着している着用者が、前記安全チョッキ（４１）を装着する際に、前記通し穴（４２）にその内側から外側に向けてランヤード（６０）を差し込んだ状態で、前記チョッキ本体の両アームホール（袖ぐり）に腕を通しながら羽織り、ランヤード（６０）のフック（６１）を引っ張り、該通し穴（４２）からＤ環（５８）を引き出せるように構成された、ことを特徴とする。
【手続補正３】
【補正対象書類名】明細書
【補正対象項目名】００１８
【補正方法】変更
【補正の内容】
【００１８】
第１の本発明の構成では、反射標識帯（１８）が備えられている安全チョッキ（１１）に、反射標識帯（１８）に干渉しないように上下方向に開けられた通し穴（１２）に取り付けたファスナー（２０）を開けて、既に着用しているフルハーネス型墜落制止用器具（５１）のＤ環（５８）を引き出す。その後、安全チョッキ（１１）の両アームホール（袖ぐり）に腕を通して羽織る。この動作だけで、フルハーネス型墜落制止用器具（５１）を装着した状態で、安全チョッキ（１１）の背面からランヤード（６０）を取り出すことができ、安全チョッキ（１１）の反射標識帯（１８）の反射能、発光能の機能を損なうことがない。
安全チョッキ（１１）のみを装着する際には、ファスナー(２０)を閉じれば通し穴（１２）が開かないので、この通し穴（１２）に他の物が引っ掛からず安全に作業することができる。
【手続補正４】
【補正対象書類名】明細書
【補正対象項目名】００１９
【補正方法】変更
【補正の内容】
【００１９】
第２の本発明の構成では、反射標識帯（１８）に干渉しないように上下方向に開けられた通し穴（４２）にその内側から外側に向けてランヤード（６０）、フック（６１）を差し込んだ状態にしてから、反射標識帯（１８）が備えられている安全チョッキ（４１）の両アームホール（袖ぐり）に腕を通し、両前身頃（１４，１５）を合わせるように羽織る。その後、ランヤード（６０）を引っ張り、通し穴（４２）からＤ環（５８）を引き出す。フルハーネス型墜落制止用器具（５１）を装着した状態で、安全チョッキ（４１）の背面からランヤード（６０）を容易に引き出すことができ、安全チョッキ（４１）の反射標識帯（１８）の反射能、発光能の機能を損なうことがない。
【手続補正５】
【補正対象書類名】特許請求の範囲
【補正対象項目名】全文
【補正方法】変更
【補正の内容】
【特許請求の範囲】
【請求項１】
フルハーネス型墜落制止用器具（５１）の上から、ランヤード（６０）とＤ環（５８）とを引き出した状態で着用できる、フルハーネス型墜落制止用器具の上から着用できる安全チョッキ（１１）であって、
袖がなく丈の短い、前身頃（１４，１５）と後身頃（１６）で構成されるチョッキ本体（１３）と、
前記チョッキ本体（１３）の前身頃（１４，１５）と後身頃（１６）の肩部から下端の裾部（１４ａ，１５ａ，１６ａ）に掛けてそれぞれ備えられている反射標識帯（１８）と、
前記チョッキ本体（１３）の後身頃（１６）の襟に相当する位置から下方の位置に、前記フルハーネス型墜落制止用器具（５１）のランヤード（６０）とＤ環（５８）とを引き出すためと、前記反射標識帯（１８）に干渉しないように上下方向に開けられた通し穴（１２）と、
前記通し穴（１２）に取り付けられたファスナー（２０）と、を備え、
前記フルハーネス型墜落制止用器具（５１）を既に装着している着用者が、前記安全チョッキ（１１）を装着する際に、前記チョッキ本体（１３）の両アームホール（袖ぐり）に腕を通しながら羽織り、
前記ファスナー（２０）を開けて通し穴（１２）を開放し、該通し穴（１２）からフルハーネス型墜落制止用器具（５１）のＤ環（５８）とランヤード（６０）を引き出せるように構成された、ことを特徴とするフルハーネス型墜落制止用器具の上から着用できる安全チョッキ。
【請求項２】
前記ファスナー（２０）は、エレメント（務歯）（２２）とスライダー（２１）とから成るファスナーである、ことを特徴とする請求項１のフルハーネス型墜落制止用器具の上から着用できる安全チョッキ。
【請求項３】
前記通し穴（１２）に面状ファスナー（２３）を取り付けた、ことを特徴とする請求項１のフルハーネス型墜落制止用器具の上から着用できる安全チョッキ。
【請求項４】
フルハーネス型墜落制止用器具（５１）の上から、ランヤード（６０）とＤ環（５８）とを引き出した状態で着用できる、フルハーネス型墜落制止用器具の上から着用できる安全チョッキ（４１）であって、
袖がなく丈の短い、前身頃（１４，１５）と後身頃（１６）で構成されるチョッキ本体（１３）と、
前記チョッキ本体（１３）の前身頃（１４，１５）と後身頃（１６）の肩部から下端の裾部（１４ａ，１５ａ，１６ａ）に掛けてそれぞれ備えられている反射標識帯（１８）と、
前記チョッキ本体（１３）の後身頃（１６）の襟に相当する位置から下方の位置に、前記フルハーネス型墜落制止用器具（５１）のランヤード（６０）とＤ環（５８）とを引き出すためと、前記反射標識帯（１８）に干渉しないように上下方向に開けられた通し穴（４２）と、を備え、
前記フルハーネス型墜落制止用器具（５１）を既に装着している着用者が、前記安全チョッキ（４１）を装着する際に、前記通し穴（４２）にその内側から外側に向けてランヤード（６０）を差し込んだ状態で、前記チョッキ本体の両アームホール（袖ぐり）に腕を通しながら羽織り、ランヤード（６０）のフック（６１）を引っ張り、該通し穴（４２）からＤ環（５８）を引き出せるように構成された、ことを特徴とするフルハーネス型墜落制止用器具の上から着用できる安全チョッキ。
【手続補正６】
【補正対象書類名】図面
【補正対象項目名】図１
【補正方法】変更
【補正の内容】
【図１】
2020059944.tif 000013
【手続補正書】
【提出日】令和1年8月1日(2019.8.1)
【手続補正１】
【補正対象書類名】明細書
【補正対象項目名】全文
【補正方法】変更
【補正の内容】
【発明の詳細な説明】
【技術分野】
【０００１】
本発明は、高所で作業する作業者がフルハーネス型墜落制止用器具（安全帯）を装着し、その上に安全チョッキを装着することができるフルハーネス型墜落制止用器具の上から着用できる反射標識帯を備えた安全チョッキに関する。
【背景技術】
【０００２】
工事作業現場、建設現場で作業する作業員等、または交通整理や交通事故の処理、或いは検問等を行なう警察官等は、自身の存在を周囲に知らせて安全性を確保するために安全チョッキの着用が義務化されつつある。図８に示すように、従来の反射標識帯を備えた安全チョッキｘとしては、チョッキ本体ｙの前面及び背面に、チョッキ本体ｙの左右の肩部から裾部に掛けて反射標識帯ｚをそれぞれ備えたものが一般に知られている。更に、反射標識帯ｚに複数の発光ダイオードＬＥＤ（ｌｉｇｈｔ  ｅｍｉｔｔｉｎｇ  ｄｉｏｄｅ）を取り付けた自発光式反射標識帯を備えたものも知られている。
【０００３】
このような反射標識帯を備えた安全チョッキｘの反射標識帯ｚは、光を照射することにより、反射して発光する。このような構成の安全チョッキｘを着用することにより、車のヘッドライト等の光を受けると反射標識帯ｚが反射するので、車の運転者等は着用者の存在を確認しやすくなり、警察官、道路上での作業者等が夜間又は暗闇の中での交通事故に遭遇する危険性を防止することができる。
【０００４】
また、この自発光式反射標識帯を備えた安全チョッキｘは、反射標識帯ｚの所定部が自発光するので、単なる反射標識帯を備えた安全チョッキｘに比べて視認性が高くなり、安全性が向上する。高所の工事現場、建設作業現場等において、着用者の存在を確認しやすくなるので、特に工事作業現場、建設現場における作業者等が労働災害に遭遇する危険性を防止することができる。
【０００５】
一方、高所で作業する作業者の墜落を阻止するために、図９，図１０に示すように、フルハーネス型の墜落制止用器具（安全帯）５１の着用が２０２０年１月から義務化される。このフルハーネス型墜落制止用器具５１は、これを装着している作業者の身体がフルハーネス型墜落制止用器具５１から抜け出さないように複数のベルトで構成されている。従来の、１本のベルトのみの墜落制止用器具とは異なり、着用している人の身体を保護しやすいようになっている。このフルハーネス型墜落制止用器具５１は、厚生労働省により、落下のおそれのある高所又はそれに類する場所で作業する作業者は、これを身体に装着すると共に、その一部をロープ（ランヤード）６０を介して周囲の固定体に連結することが義務付けられている。このフルハーネス型墜落制止用器具５１により、高所作業の現場から落下しても作業者は安全に宙吊りとなるようにしている。
【０００６】
図９の作業者前面側の状態図に示すように、フルハーネス型墜落制止用器具５１は、肩や腿（もも）、胸などの複数のベルトで構成され、これによって身体がフルハーネス型墜落制止用器具５１から抜け出すことや、胸部・腹部を過大に圧迫するリスクを低減するようになっている。従来の、１本のベルトのみの墜落制止用器具と比較して、着用している人の身体を保護しやすい。フルハーネス型墜落制止用器具５１は、作業者の両肩から胸に掛ける肩ベルト５２と、この肩ベルト５２の胸の部分でバックル５３により着脱自在に連結する胸ベルト５４と、肩ベルト５２の下部は胴ベルト５５につながれている。この胴ベルト５５には、両太ももを差し込む腿ベルト５６がそれぞれつながれている。胴ベルト５５はバックル５７により着脱自在になっている。
【０００７】
図１０の作業者後面側の状態図に示すように、フルハーネス型墜落制止用器具５１は、両肩ベルト５２の中間はＤ環５８に通されている。更に、両肩ベルト５２の他端は胴ベルト５５につながれている。このＤ環５８には、ショックアブソーバー５９を介してランヤード６０がつながれている。このランヤード６０の先端にフック６１が付けられている。各腿ベルト５６には広がりを防止する骨盤ベルト６２がつながれている。
図示例はいわゆる一丁掛けで、このランヤード６０が１本のものである。二丁掛けは、このランヤード６０が２本のものである。
【０００８】
反射標識帯を備えた安全チョッキに関する技術が種々提案されている。例えば特許文献１の特開２００６−１７６８９３号公報「安全チョッキ」のように、チョッキ本体の前面及び背面に、チョッキ本体の左右の肩部から裾部に掛けて設けた反射標識帯を備えた安全チョッキであって、 前記チョッキ本体の前面側の前記反射標識帯の部位に位置させて設けた任意数の第１の発光ダイオードを備え、 前記第１の各発光ダイオードは、前記反射標識帯の表面から斜め下方向に向けて光を放射するように配置して設けた安全チョッキが提案されている。
【先行技術文献】
【特許文献】
【０００９】
【特許文献１】特開２００６−１７６８９３号公報
【発明の概要】
【発明が解決しようとする課題】
【００１０】
上述したように、作業者は反射標識帯を備えた安全チョッキｘを装着することが義務付けられる。更に、地上から６．７５ｍ以上の高所での作業にはフルハーネス型墜落制止用器具５１を装着することも義務付けられた。そこで、高所での作業者は、反射標識帯を備えた安全チョッキｘとフルハーネス型墜落制止用器具５１の両方の装着が必要になる。
【００１１】
反射標識帯を備えた安全チョッキｘはその構造上、反射標識帯ｚ又は自発光式反射標識帯を反射又は発光させる必要があるために、フルハーネス型墜落制止用器具５１の上に装着する必要がある。安全チョッキｘに上に重ねてフルハーネス型墜落制止用器具５１を装着すると、多数のベルトが反射標識帯ｚ又は自発光式反射標識帯を覆う状態になり、その反射能、発光能が減殺されるためである。
【００１２】
従来の図９に示す形態の安全チョッキｘの構造では、フルハーネス型墜落制止用器具５１には、その背面側に位置するＤ環５８又はショックアブソーバ５９にランヤード６０の一端が掛け止められている。このＤ環５８又はショックアブソーバ５９が、この安全チョッキｘの背面から露出させることができないという問題を有していた。
【００１３】
また、反射標識帯を備えた安全チョッキの背面側を、前側と同じように略Ｖ字形状になるようにカットした形状にすることも考えられる。しかし、安全チョッキの前面側と背面側を共に略Ｖ字形状にすると、反射標識帯を備えた安全チョッキの両上部が着用者の両肩から外れやすくなり、非常に着心地の悪いものになる。
【００１４】
本発明は、かかる問題点を解決するために創案されたものである。すなわち、本発明の目的は、反射標識帯を備えた安全チョッキの構造に工夫を施すことで、フルハーネス型墜落制止用器具を装着した状態でも、反射標識帯を備えた安全チョッキの背面からＤ環又はショックアブソーバを、ランヤードと共に容易に取り出すことができ、安全チョッキの反射能、発光能の機能を損なうことがないフルハーネス型墜落制止用器具の上から着用できる反射標識帯を備えた安全チョッキを提供することにある。
【課題を解決するための手段】
【００１５】
第１の本発明は、フルハーネス型墜落制止用器具（５１）の上から、ランヤード（６０）とＤ環（５８）とを引き出した状態で着用できる、フルハーネス型墜落制止用器具の上から着用できる反射標識帯を備えた安全チョッキ（１１）であって、
袖がなく丈の短い、前身頃（１４，１５）と後身頃（１６）で構成されるチョッキ本体（１３）と、
前記チョッキ本体（１３）の前身頃（１４，１５）と後身頃（１６）の肩部から下端の裾部（１４ａ，１５ａ，１６ａ）に掛けてそれぞれ備えられている反射標識帯（１８）と、
前記チョッキ本体（１３）の後身頃（１６）の襟に相当する位置から下方の位置に、前記フルハーネス型墜落制止用器具（５１）のランヤード（６０）とＤ環（５８）とを引き出すために上下方向に開けられた通し穴（１２）と、
前記通し穴（１２）に取り付けられたファスナー（２０）と、を備え、
前記フルハーネス型墜落制止用器具（５１）を既に装着している着用者が、前記安全チョッキ（１１）を装着する際に、前記チョッキ本体（１３）の両アームホール（袖ぐり）に腕を通しながら羽織り、
前記ファスナー（２０）を開けて通し穴（１２）を開放し、該通し穴（１２）からフルハーネス型墜落制止用器具（５１）のＤ環（５８）とランヤード（６０）を引き出せるように構成された、ことを特徴とする。
【００１６】
前記ファスナー（２０）は、エレメント（務歯）（２２）とスライダー（２１）とから成るファスナーである。
または、前記通し穴（１２）に面状ファスナー（２３）を取り付けたものである。
【００１７】
第２の本発明は、フルハーネス型墜落制止用器具（５１）の上から、ランヤード（６０）とＤ環（５８）とを引き出した状態で着用できる、フルハーネス型墜落制止用器具の上から着用できる反射標識帯を備えた安全チョッキ（４１）であって、
袖がなく丈の短い、前身頃（１４，１５）と後身頃（１６）で構成されるチョッキ本体（１３）と、
前記チョッキ本体（１３）の前身頃（１４，１５）と後身頃（１６）の肩部から下端の裾部（１４ａ，１５ａ，１６ａ）に掛けてそれぞれ備えられている反射標識帯（１８）と、
前記チョッキ本体（１３）の後身頃（１６）の襟に相当する位置から下方の位置に、前記フルハーネス型墜落制止用器具（５１）のランヤード（６０）とＤ環（５８）とを引き出すために上下方向に開けられた通し穴（４２）と、を備え、
前記フルハーネス型墜落制止用器具（５１）を既に装着している着用者が、前記反射標識帯を備えた安全チョッキ（４１）を装着する際に、前記通し穴（４２）にその内側から外側に向けてランヤード（６０）を差し込んだ状態で、前記チョッキ本体の両アームホール（袖ぐり）に腕を通しながら羽織り、ランヤード（６０）のフック（６１）を引っ張り、該通し穴（４２）からＤ環（５８）を引き出せるように構成された、ことを特徴とする。
【発明の効果】
【００１８】
第１の本発明の構成では、反射標識帯（１８）が備えられている安全チョッキ（１１）に、上下方向に開けられた通し穴（１２）に取り付けたファスナー（２０）を開けて、既に着用しているフルハーネス型墜落制止用器具（５１）のＤ環（５８）を引き出す。その後、安全チョッキ（１１）の両アームホール（袖ぐり）に腕を通して羽織る。この動作だけで、フルハーネス型墜落制止用器具（５１）を装着した状態で、安全チョッキ（１１）の背面からランヤード（６０）を取り出すことができ、安全チョッキ（１１）の反射標識帯（１８）の反射能、発光能の機能を損なうことがない。
安全チョッキ（１１）のみを装着する際には、ファスナー(２０)を閉じれば通し穴（１２）が開かないので、この通し穴（１２）に他の物が引っ掛からず安全に作業することができる。
【００１９】
第２の本発明の構成では、上下方向に開けられた通し穴（４２）にその内側から外側に向けてランヤード（６０）、フック（６１）を差し込んだ状態にしてから、反射標識帯（１８）が備えられている安全チョッキ（４１）の両アームホール（袖ぐり）に腕を通し、両前身頃（１４，１５）を合わせるように羽織る。その後、ランヤード（６０）を引っ張り、通し穴（４２）からＤ環（５８）を引き出す。フルハーネス型墜落制止用器具（５１）を装着した状態で、安全チョッキ（４１）の背面からランヤード（６０）を容易に引き出すことができ、安全チョッキ（４１）の反射標識帯（１８）の反射能、発光能の機能を損なうことがない。
【図面の簡単な説明】
【００２０】
【図１】実施例１の反射標識帯を備えた安全チョッキを示し、（ａ）は正面図、（ｂ）は背面図である。
【図２】実施例１の反射標識帯を備えた安全チョッキのファスナー部分を示す拡大正面図であり、（ａ）は通し穴を閉じた状態、（ｂ）は通し穴を開けた状態である。
【図３】実施例１の反射標識帯を備えた安全チョッキの通し穴からランヤードとＤ環を引き出した状態を示す斜視図である。
【図４】通し穴の開閉に面状のファスナーを用いた通し穴の変形例１の拡大正面図である。
【図５】通し穴の向きを可変した変形例２の拡大正面図であり、（ａ）は通し穴を閉じた状態、（ｂ）は通し穴を開けた状態である。
【図６】実施例１の反射標識帯を備えた安全チョッキの形態の変形例を示し、（ａ）は正面図、（ｂ）は通し穴を閉じた状態の背面図、（ｃ）は通し穴を開けた状態の背面図である。
【図７】実施例２の反射標識帯を備えた安全チョッキを示す背面図であり、（ａ）は通し穴を閉じた状態、（ｂ）は通し穴を開けた状態である。
【図８】従来の反射標識帯を備えた安全チョッキの一例を示し、（ａ）は正面図、（ｂ）は背面図である。
【図９】フルハーネス型墜落制止用器具を装着した作業者の前面側の状態を示す斜視図である。
【図１０】フルハーネス型墜落制止用器具を装着した作業者の後面側の状態を示す斜視図である。
【発明を実施するための形態】
【００２１】
本発明は、着用者が既に装着しているフルハーネス型墜落制止用器具の上から反射標識帯を備えた安全チョッキを着用できるものである。ランヤードとＤ環は反射標識帯を備えた安全チョッキの背面から引き出した状態で使用できるようになっている。
【実施例１】
【００２２】
＜反射標識帯を備えた安全チョッキの構成＞
以下、本発明の実施の形態を図面を参照して説明する。
図１は実施例１の反射標識帯を備えた安全チョッキを示し、（ａ）は正面図、（ｂ）は背面図である。図２は実施例１の反射標識帯を備えた安全チョッキのファスナー部分を示す拡大正面図であり、（ａ）は通し穴を閉じた状態、（ｂ）は通し穴を開けた状態である。図３は実施例１の反射標識帯を備えた安全チョッキの通し穴からランヤードとＤ環を引き出した状態を示す斜視図である。
実施例１の反射標識帯を備えた安全チョッキ１１は、身体に装着するように形成された、袖がなく丈の短い胴衣であり、これにフルハーネス型墜落制止用器具５１の一部を通す通し穴１２を開けたものである。
【００２３】
反射標識帯を備えた安全チョッキ１１を構成するチョッキ本体１３は、この前面の左右に、左前身頃１４と右前身頃１５及び背面に、後身頃１６で構成される。チョッキ本体１３は、通気性を考慮してメッシュ生地等で製造されたものが好ましい。左右前身頃１４，１５の裾部１４ａ，１５ａと後身頃１６の裾部１６ａにより胴ベルト部１７が形成される。胴ベルト部１７は、図１に示すように止め具として、この胴ベルト部１７の両端に面状ファスナー（図示せず）を設けた構成を採用している。または、ホックなどの他の部材を用いることができる。
【００２４】
チョッキ本体１３の左右前身頃１４，１５の肩部から下端の裾部１４ａ，１５ａに掛けてそれぞれ反射標識帯１８を備えている。各反射標識帯１８は再帰反射性シート材や反射クロス材等の反射材で適当な巾に構成されている。図示例では反射標識帯１８に複数の発光ダイオードＬＥＤ１９を取り付けた自発光式反射標識帯を示している。本発明は反射標識帯を備えた安全チョッキ１１にフルハーネス型墜落制止用器具５１用の通し穴１２を開けた構成であれば、反射標識帯１８と自発光式反射標識帯のいずれの安全チョッキ１１にも実施することができる。
【００２５】
また、図示していないが、反射標識帯１８に代えて、あるいは反射標識帯１８と共に、その反射標識帯を備えた安全チョッキ１１を着用している作業者の担当名を表示する「担当名称」の中板（シート）を着脱自在に挿入する透明なポケットを備えたものでもよい。「担当名称」としては、例えば、「誘導員」、「監視員」、「合図者」などがある。この「担当名称」のポケットは、反射標識帯を備えた安全チョッキ１１の前面側、背面側の何れにも構成することができる。本発明では背面側には、後述するようにフルハーネス型墜落制止用器具５１の金具を露出させる通し穴１２が必要になるため、このポケットは前面側のみになる。
【００２６】
＜「通し穴」の構成＞
実施例１の反射標識帯を備えた安全チョッキ１１は、チョッキ本体１３の背面側（後身頃１６）の上部にフルハーネス型墜落制止用器具５１用の通し穴１２を開けたものである。フルハーネス型墜落制止用器具５１のＤ環５８とランヤード６０をこの通し穴１２から引き出した状態で、反射標識帯を備えた安全チョッキ１１を装着できるようになる。
【００２７】
この通し穴１２は、図１，図２に示すように、チョッキ本体１３の背面側（後身頃１６）に襟に相当する上端縁から５ｃｍ程度の下方（間隔ａ）に、上下方向に開けられている。この通し穴１２は、所謂ジッパー、チャックと称されるファスナー２０で開閉自在になっている。ファスナー２０の全長が１０ｃｍ程度の長さ（間隔ｂ）を有する。この通し穴１２は、ランヤード６０の先端に付けられているフック６１を通すことができる程度の内径は必要である。
【００２８】
図２の拡大図に示すように、例えば、ファスナー２０のスライダー２１が上部にある、「上止」の状態を示している。この通し穴１２は、図２（ａ）に示すように、このファスナー２０でスライダー２１が上部にあるときは閉じた状態になる。スライダー２１を下げるとエレメント（務歯）２２の噛み合いが解けて通し穴１２が開放される。図２（ｂ）に示すように、この開放された通し穴１２からフルハーネス型墜落制止用器具５１のＤ環５８とランヤード６０を引き出すようになっている。この図示例は、通し穴１２から引き出したＤ環５８の断面の状態を示している。
【００２９】
実施例１の反射標識帯を備えた安全チョッキ１１を着用する際は、例えば、着用者はフルハーネス型墜落制止用器具５１を装着した後、この通し穴１２のファスナー２０を開け、ここにランヤード６０のフック６１を差し込み、その状態で、反射標識帯を備えた安全チョッキ１１の両アームホール（袖ぐり）部分に腕を通しながら、両前身頃１４，１５を合わせるように羽織る。その後、通し穴１２からランヤード６０とＤ環５８を引き出して、装着が完了する。反射標識帯を備えた安全チョッキ１１の反射能、発光能の機能を損なうことがない。
なお、フルハーネス型墜落制止用器具５１を装着する前に、この通し穴１２からランヤード６０とＤ環５８を通した状態で、先ずフルハーネス型墜落制止用器具５１を装着し、次に反射標識帯を備えた安全チョッキ１１を着用する方法でもよい。
【００３０】
実施例１の反射標識帯を備えた安全チョッキ１１を通常に着用する際は、通し穴１２のファスナー２０を閉めておく。この通し穴１２が不用意に開閉し、他の物に引っ掛からないようになる。この通し穴１２を常時閉止することで、工事現場などでは安全に着用することができる。
【００３１】
＜通し穴の変形例１＞
図４は通し穴の開閉に面状のファスナーを用いた通し穴の変形例１の拡大正面図である。
通し穴１２は、上述したエレメント（務歯）２２、スライダー２１の形態から成る構成に限定されない。変形例１のように、所謂面状ファスナー２３を通し穴１２の開閉に利用することができる。更に、通し穴１２を閉じた状態と、開いた状態を維持できるものであれば、ジッパー、チャック形態のファスナー２０、面状ファスナー２３以外に、ボタン、ホックボタンなど種々の留め具を用いることができる。
【００３２】
＜通し穴の変形例２＞
図５は通し穴の向きを可変した変形例２の拡大正面図であり、（ａ）は通し穴を閉じた状態、（ｂ）は通し穴を開けた状態である。
通し穴１２は、上述したように上下方向に開けた形状に限定されない。変形例２のように、通し穴１２を横向きに形成したものでもよい。このように横向きの通し穴１２では、ランヤード６０とＤ環５８を容易に引き出すことができる。更に、図示していないが、通し穴１２を斜めに開けた形状でも良い。通し穴１２の変形例２においても、ファスナー２０はジッパー、チャックと称されるファスナーに限定されず、面状ファスナー２３、ボタン、ホックボタンなど種々の留め具を用いることができる。
【００３３】
＜実施例１の反射標識帯を備えた安全チョッキの形態の変形例＞
図６は実施例１の反射標識帯を備えた安全チョッキの形態の変形例を示し、（ａ）は正面図、（ｂ）は通し穴を閉じた状態の背面図、（ｃ）は通し穴を開けた状態の背面図である。
本発明の反射標識帯を備えた安全チョッキの形態は、図１に示した前面の左右に、左前身頃１４と右前身頃１５及び背面に後身頃１６で構成される胴衣の形態に限定されない。図６の変形例に示すように、略長方形状の布の真ん中に首穴３１を開け、そこに首を通し、被るように着用し、前身頃３２と後身頃３３の裾部分を連結具３４で連結するように構成した安全チョッキ３５にも実施することができる。この後身頃３３に上述したような構成の通し穴３６を開けて、この通し穴３６からフルハーネス型墜落制止用器具５１のランヤード６０のフック６１を差し込み、Ｄ環５８とランヤード６０を引き出すようにすることができる。
【００３４】
この通し穴３６は、後身頃３３の襟に相当する上端縁から５ｃｍ程度の下方に、上下方向に開けられている。この通し穴３６にも、ファスナー３７で開閉自在になっている。ファスナー３７の全長が１０ｃｍ程度の長さを有する。この通し穴３６は、ランヤード６０の先端に付けられているフック６１を通すことができる程度の内径は必要である。後身頃３３にフルハーネス型墜落制止用器具５１用の通し穴３６を開けた構成であれば、安全チョッキ１１，３５の形態は図示例に限定されない。
【実施例２】
【００３５】
＜「通し穴」のみを開けた実施例２の構成＞
図７は実施例２の反射標識帯を備えた安全チョッキを示す背面図であり、（ａ）は通し穴を閉じた状態、（ｂ）は通し穴を開けた状態である。
実施例２の反射標識帯を備えた安全チョッキ４１は、チョッキ本体１３の背面側（後身頃１６）の上部にフルハーネス型墜落制止用器具５１用の通し穴４２のみを開けたものである。例えば、フルハーネス型墜落制止用器具５１のＤ環５８とランヤード６０をこの通し穴４２から引き出した状態で、反射標識帯を備えた安全チョッキ４１を装着できるようになる。
【００３６】
この通し穴４２は、ランヤード６０の先端に付けられているフック６１を通すことができる程度の内径は必要である。図示例では、通し穴４２は略円形状であるが、その柔軟性により変形してフック６１を通すことができるようになっている。
【００３７】
実施例２の反射標識帯を備えた安全チョッキ４１を着用する際は、例えば、着用者はフルハーネス型墜落制止用器具５１を装着した後、この通し穴４２にランヤード６０のフック６１を差し込み、その状態で、反射標識帯を備えた安全チョッキ４１の両アームホール（袖ぐり）部分に腕を通しながら、両前身頃１４，１５を合わせるように羽織る。その後、通し穴４２からランヤード６０とＤ環５８を引き出して、装着が完了する。反射標識帯を備えた安全チョッキ４１の反射能、発光能の機能を損なうことがない。
なお、フルハーネス型墜落制止用器具５１を装着する前に、この通し穴４２からランヤード６０とＤ環５８を通した状態で、先ずフルハーネス型墜落制止用器具５１を装着し、次に反射標識帯を備えた安全チョッキ４１を着用する方法でもよい。
【００３８】
なお、本発明は、フルハーネス型墜落制止用器具５１を装着した状態で、反射標識帯を備えた安全チョッキ１１，３５，４１の背面からＤ環５８又はショックアブソーバ５９を、ランヤード６０、フック６１と共に容易に取り出すことができ、反射標識帯を備えた安全チョッキ１１，３５，４１の反射能、発光能の機能を損なうことがなければ、上述した発明の実施の形態に限定されず、本発明の要旨を逸脱しない範囲で種々変更できることは勿論である。
【産業上の利用可能性】
【００３９】
本発明の反射標識帯を備えた安全チョッキは、工事作業現場、建設現場で作業する作業員などが利用することができる。
【符号の説明】
【００４０】
１１  反射標識帯を備えた安全チョッキ
１２  通し穴
１３  チョッキ本体
１４  左前身頃
１５  右前身頃
１６  後身頃
１８ 反射標識帯
２０  ファスナー
２１  スライダー
２２  エレメント（務歯）
２３  面状ファスナー
４１  反射標識帯を備えた安全チョッキ
４２  通し穴
５１  フルハーネス型墜落制止用器具
５８  Ｄ環
６０  ランヤード
６１  フック
【手続補正２】
【補正対象書類名】特許請求の範囲
【補正対象項目名】全文
【補正方法】変更
【補正の内容】
【特許請求の範囲】
【請求項１】
フルハーネス型墜落制止用器具（５１）の上から、ランヤード（６０）とＤ環（５８）とを引き出した状態で着用できる、フルハーネス型墜落制止用器具の上から着用できる反射標識帯を備えた安全チョッキ（１１）であって、
袖がなく丈の短い、前身頃（１４，１５）と後身頃（１６）で構成されるチョッキ本体（１３）と、
前記チョッキ本体（１３）の前身頃（１４，１５）と後身頃（１６）の肩部から下端の裾部（１４ａ，１５ａ，１６ａ）に掛けてそれぞれ備えられている反射標識帯（１８）と、
前記チョッキ本体（１３）の後身頃（１６）の襟に相当する位置から下方の位置に、前記フルハーネス型墜落制止用器具（５１）のランヤード（６０）とＤ環（５８）とを引き出すために上下方向に開けられた通し穴（１２）と、
前記通し穴（１２）に取り付けられたファスナー（２０）と、を備え、
前記フルハーネス型墜落制止用器具（５１）を既に装着している着用者が、前記安全チョッキ（１１）を装着する際に、前記チョッキ本体（１３）の両アームホール（袖ぐり）に腕を通しながら羽織り、
前記ファスナー（２０）を開けて通し穴（１２）を開放し、該通し穴（１２）からフルハーネス型墜落制止用器具（５１）のＤ環（５８）とランヤード（６０）を引き出せるように構成された、ことを特徴とするフルハーネス型墜落制止用器具の上から着用できる反射標識帯を備えた安全チョッキ。
【請求項２】
前記ファスナー（２０）は、エレメント（務歯）（２２）とスライダー（２１）とから成るファスナーである、ことを特徴とする請求項１のフルハーネス型墜落制止用器具の上から着用できる反射標識帯を備えた安全チョッキ。
【請求項３】
前記通し穴（１２）に面状ファスナー（２３）を取り付けた、ことを特徴とする請求項１のフルハーネス型墜落制止用器具の上から着用できる反射標識帯を備えた安全チョッキ。
【請求項４】
フルハーネス型墜落制止用器具（５１）の上から、ランヤード（６０）とＤ環（５８）とを引き出した状態で着用できる、フルハーネス型墜落制止用器具の上から着用できる反射標識帯を備えた安全チョッキ（４１）であって、
袖がなく丈の短い、前身頃（１４，１５）と後身頃（１６）で構成されるチョッキ本体（１３）と、
前記チョッキ本体（１３）の前身頃（１４，１５）と後身頃（１６）の肩部から下端の裾部（１４ａ，１５ａ，１６ａ）に掛けてそれぞれ備えられている反射標識帯（１８）と、
前記チョッキ本体（１３）の後身頃（１６）の襟に相当する位置から下方の位置に、前記フルハーネス型墜落制止用器具（５１）のランヤード（６０）とＤ環（５８）とを引き出すために上下方向に開けられた通し穴（４２）と、を備え、
前記フルハーネス型墜落制止用器具（５１）を既に装着している着用者が、前記安全チョッキ（４１）を装着する際に、前記通し穴（４２）にその内側から外側に向けてランヤード（６０）を差し込んだ状態で、前記チョッキ本体の両アームホール（袖ぐり）に腕を通しながら羽織り、ランヤード（６０）のフック（６１）を引っ張り、該通し穴（４２）からＤ環（５８）を引き出せるように構成された、ことを特徴とするフルハーネス型墜落制止用器具の上から着用できる反射標識帯を備えた安全チョッキ。
【手続補正書】
【提出日】令和1年11月27日(2019.11.27)
【手続補正１】
【補正対象書類名】明細書
【補正対象項目名】００１５
【補正方法】変更
【補正の内容】
【００１５】
第１の本発明は、フルハーネス型墜落制止用器具（５１）の上から、ランヤード（６０）とＤ環（５８）とを引き出した状態で着用できる、フルハーネス型墜落制止用器具の上から着用できる反射標識帯を備えた安全チョッキ（１１）であって、
袖がなく丈の短い、前身頃（１４，１５）と後身頃（１６）で構成されるチョッキ本体（１３）と、
前記チョッキ本体（１３）の前身頃（１４，１５）と後身頃（１６）の肩部から下端の裾部（１４ａ，１５ａ，１６ａ）に掛けてそれぞれ備えられている反射標識帯（１８）と、
前記チョッキ本体（１３）の後身頃（１６）の襟に相当する位置から下方の位置に、前記フルハーネス型墜落制止用器具（５１）のランヤード（６０）とＤ環（５８）とを引き出すために上下方向に開けられた、該ランヤード（６０）の先端に付けられたフック（６１）を通すことができる程度の内径を有する通し穴（１２）と、
前記通し穴（１２）に取り付けられたファスナー（２０）と、を備え、
前記フルハーネス型墜落制止用器具（５１）を既に装着している着用者が、前記安全チョッキ（１１）を装着する際に、前記チョッキ本体（１３）の両アームホール（袖ぐり）に腕を通しながら羽織り、
前記ファスナー（２０）を開けて通し穴（１２）を開放し、該通し穴（１２）からフルハーネス型墜落制止用器具（５１）のＤ環（５８）、ランヤード（６０）とフック（６１）を引き出せるように構成された、ことを特徴とする。
【手続補正２】
【補正対象書類名】明細書
【補正対象項目名】００１７
【補正方法】変更
【補正の内容】
【００１７】
第２の本発明は、フルハーネス型墜落制止用器具（５１）の上から、ランヤード（６０）とＤ環（５８）とを引き出した状態で着用できる、フルハーネス型墜落制止用器具の上から着用できる反射標識帯を備えた安全チョッキ（４１）であって、
袖がなく丈の短い、前身頃（１４，１５）と後身頃（１６）で構成されるチョッキ本体（１３）と、
前記チョッキ本体（１３）の前身頃（１４，１５）と後身頃（１６）の肩部から下端の裾部（１６ａ）に掛けてそれぞれ備えられている反射標識帯（１８）と、
前記チョッキ本体（１３）の後身頃（１６）の襟に相当する位置から下方の位置に、前記フルハーネス型墜落制止用器具（５１）のランヤード（６０）とＤ環（５８）とを引き出すために上下方向に開けられた、該ランヤード（６０）の先端に付けられたフック（６１）を通すことができる程度の内径を有する通し穴（４２）と、を備え、
前記フルハーネス型墜落制止用器具（５１）を既に装着している着用者が、前記安全チョッキ（４１）を装着する際に、前記通し穴（４２）にその内側から外側に向けてランヤード（６０）を差し込んだ状態で、前記チョッキ本体の両アームホール（袖ぐり）に腕を通しながら羽織り、ランヤード（６０）のフック（６１）を引っ張り、該通し穴（４２）からＤ環（５８）を引き出せるように構成された、ことを特徴とする。
【手続補正３】
【補正対象書類名】特許請求の範囲
【補正対象項目名】全文
【補正方法】変更
【補正の内容】
【特許請求の範囲】
【請求項１】
フルハーネス型墜落制止用器具（５１）の上から、ランヤード（６０）とＤ環（５８）とを引き出した状態で着用できる、フルハーネス型墜落制止用器具の上から着用できる反射標識帯を備えた安全チョッキ（１１）であって、
袖がなく丈の短い、前身頃（１４，１５）と後身頃（１６）で構成されるチョッキ本体（１３）と、
前記チョッキ本体（１３）の前身頃（１４，１５）と後身頃（１６）の肩部から下端の裾部（１４ａ，１５ａ，１６ａ）に掛けてそれぞれ備えられている反射標識帯（１８）と、
前記チョッキ本体（１３）の後身頃（１６）の襟に相当する位置から下方の位置に、前記フルハーネス型墜落制止用器具（５１）のランヤード（６０）とＤ環（５８）とを引き出すために上下方向に開けられた、該ランヤード（６０）の先端に付けられたフック（６１）を通すことができる程度の内径を有する通し穴（１２）と、
前記通し穴（１２）に取り付けられたファスナー（２０）と、を備え、
前記フルハーネス型墜落制止用器具（５１）を既に装着している着用者が、前記安全チョッキ（１１）を装着する際に、前記チョッキ本体（１３）の両アームホール（袖ぐり）に腕を通しながら羽織り、
前記ファスナー（２０）を開けて通し穴（１２）を開放し、該通し穴（１２）からフルハーネス型墜落制止用器具（５１）のＤ環（５８）、ランヤード（６０）とフック（６１）を引き出せるように構成された、ことを特徴とするフルハーネス型墜落制止用器具の上から着用できる反射標識帯を備えた安全チョッキ。
【請求項２】
前記ファスナー（２０）は、エレメント（務歯）（２２）とスライダー（２１）とから成るファスナーである、ことを特徴とする請求項１に記載のフルハーネス型墜落制止用器具の上から着用できる反射標識帯を備えた安全チョッキ。
【請求項３】
前記通し穴（１２）に面状ファスナー（２３）を取り付けた、ことを特徴とする請求項１に記載のフルハーネス型墜落制止用器具の上から着用できる反射標識帯を備えた安全チョッキ。
【請求項４】
フルハーネス型墜落制止用器具（５１）の上から、ランヤード（６０）とＤ環（５８）とを引き出した状態で着用できる、フルハーネス型墜落制止用器具の上から着用できる反射標識帯を備えた安全チョッキ（４１）であって、
袖がなく丈の短い、前身頃（１４，１５）と後身頃（１６）で構成されるチョッキ本体（１３）と、
前記チョッキ本体（１３）の前身頃（１４，１５）と後身頃（１６）の肩部から下端の裾部（１６ａ）に掛けてそれぞれ備えられている反射標識帯（１８）と、
前記チョッキ本体（１３）の後身頃（１６）の襟に相当する位置から下方の位置に、前記フルハーネス型墜落制止用器具（５１）のランヤード（６０）とＤ環（５８）とを引き出すために上下方向に開けられた、該ランヤード（６０）の先端に付けられたフック（６１）を通すことができる程度の内径を有する通し穴（４２）と、を備え、
前記フルハーネス型墜落制止用器具（５１）を既に装着している着用者が、前記安全チョッキ（４１）を装着する際に、前記通し穴（４２）にその内側から外側に向けてランヤード（６０）を差し込んだ状態で、前記チョッキ本体の両アームホール（袖ぐり）に腕を通しながら羽織り、ランヤード（６０）のフック（６１）を引っ張り、該通し穴（４２）からＤ環（５８）を引き出せるように構成された、ことを特徴とするフルハーネス型墜落制止用器具の上から着用できる反射標識帯を備えた安全チョッキ。